【事件の表示】
　特願２０１４−　２８９０７「コネクタ」拒絶査定不服審判事件〔平成２７年　８月２４日出願公開、特開２０１５−１５３７０２、請求項の数（４）〕について、次のとおり審決する。
【結　論】
　原査定を取り消す。
　本願の発明は、特許すべきものとする。
【理　由】
第１　手続の経緯
　本願は、平成２６年２月１８日の出願であって、平成２８年１１月８日に手続補正書が提出され、平成２９年７月６日付けで拒絶理由通知がされ、平成２９年９月８日に意見書及び手続補正書が提出され、平成３０年１月３１日付けで拒絶理由通知がされ、平成３０年４月６日に意見書及び手続補正書が提出され、平成３０年９月７日付けで拒絶査定（原査定）がされ、これに対し、平成３０年１２月１４日に拒絶査定不服審判の請求がされたものである。
第２　原査定の概要
　原査定（平成３０年９月７日付け拒絶査定）の概要は次のとおりである。
　本願の請求項１ないし４に係る発明は、その出願前に日本国内又は外国において、頒布された引用文献（特開２００９−１９９７６６号公報）に基いて、その出願前にその発明の属する技術の分野における通常の知識を有する者（以下「当業者」という。）が容易に発明をすることができたものであるから、特許法第２９条第２項の規定により特許を受けることができない。
第３　本願発明
　本願の請求項１ないし４に係る発明（以下、それぞれ「本願発明１」ないし「本願発明４」という。）は、平成３０年４月６日の手続補正書により補正された特許請求の範囲の請求項１ないし４に記載された事項により特定される発明であり、そのうちの本願発明１及び本願発明４は以下のとおりの発明である。
　
（本願発明１）
「　　【請求項１】
接続対象物と押圧接触して変位する接触縁が形成された接触部と、接触部を変位可能に支持する弾性腕とを有する平板形状のフロント端子と、フロント端子の次に接続対象物と押圧接触する接触縁が形成された接触部を有する平板形状のリア端子とを有する複数のコネクタ端子を、フロント端子とリア端子の板面が平行となるようにハウジングに備えるコネクタにおいて、
フロント端子は、フロント端子の接触縁と鋭角をなすように形成された後縁と、前記後縁と弾性腕とによって導電性金属平板の打抜き形状の隙間として形成される収容部とを有しており、
リア端子の接触部は、前記収容部の内部に突出してフロント端子の接触部の前記後縁の下端よりも高く位置する先端部を有しており、
フロント端子の接触部とリア端子の接触部は、接続対象物と押圧接触することで互いに非接触のまま変位することを特徴とするコネクタ。」
（本願発明４）
「　　【請求項４】
接続対象物と押圧接触して変位する接触縁が形成された接触部と、接触部を変位可能に支持する弾性腕とを有する平板形状のフロント端子と、
フロント端子の次に接続対象物と押圧接触する接触縁が形成された接触部を有する平板形状のリア端子とを有する複数のコネクタ端子を、フロント端子とリア端子の板面が平行となるようにハウジングに備えるコネクタにおいて、
フロント端子は、弾性腕と接触部との間に導電性金属平板の打抜き形状の隙間として形成されておりリア端子の接触部の先端側が入り込む収容部を有しており、
接続対象物との接触時にフロント端子の接触部が変位する距離（Ｌ２）が、接続対象物との非接触時におけるフロント端子の接触部とリア端子の接触部との間の距離（Ｌ１）よりも短く、
前記接触時におけるフロント端子の弾性腕と前記非接触時におけるリア端子の接触部との間の距離（Ｌ３）が、前記接触時にリア端子の接触部が変位する距離（Ｌ４）よりも長く、
フロント端子の接触部とリア端子の接触部は、接続対象物と押圧接触することで互いに非接触のまま変位することを特徴とするコネクタ。」
　なお、本願発明２ないし３は、本願発明１を減縮した発明である。
第４　引用文献、引用発明等
　原査定の拒絶の理由に引用された上記引用文献には、図面とともに次の事項が記載されている。
　・「【０００７】
　しかし、特開平１１−２３３１８３号公報に記載のカードエッジコネクタ装置は、第１のコンタクト部が変位するとこれに追従して第２のコンタクト部も変位してしまい、第１のコンタクト部と第２のコンタクト部との間で独立性に欠け、特に第２のコンタクト部のパッドとの接触圧が第１のコンタクト部の変位等の影響を受けて予定の値よりも低くなってしまい、電気的接続の信頼性を低下させてしまう。
【０００８】
　特開２００２−１２６７９１号公報に記載のカードエッジコネクタ装置では、第１のコンタクト部と第２のコンタクト部との間の独立性は、特開平１１−２３３１８３号公報に記載の構成に比べると良い。しかし、左側のリード部の根元の部分と右側のリード部の根元の部分とはその間にスリットが存在するだけであり極く接近しているため、場合によっては、左側のリード部の根元の反りが右側のリード部の根元の部分に伝わることも起こり、第１のコンタクト部と第２のコンタクト部との間の独立性は十分ではなく、第２のコンタクト部のパッドとの接触圧が予定の値よりも低くなってしまうおそれがあった。
【０００９】
　また、特開２００２−１２６７９１号公報に記載のカードエッジコネクタ装置は、現在使用されている回路基板には対応が困難であるという問題があった。即ち、現在、回路基板はパッドのピッチが約１ｍｍと狭くなっている。しかし、左側のリード部と右側のリード部とが並んでいる方向は、カードエッジコネクタ装置の長手方向であるため、回路基板のパッドの狭いピッチに対応することが出来ないという問題もあった。
【００１０】
　そこで、本発明は、上記の点に鑑みてなされたコネクタ装置を提供することを目的とする。
【課題を解決するための手段】
【００１１】
　本発明は、被接続体が挿入される空間部を有するハウジングと、
　前記被接続体の同じパッドに接触するように整列された第１及び第２のコンタクト部を有し、前記ハウジングに組み込んであるコンタクト部材と、を有し、
　前記第１のコンタクト部が前記第２のコンタクト部より前記空間部の入口に近い位置とされて前記空間部に臨んで配置してあるコネクタ装置であって、
　前記コンタクト部材は、本体部と、前記第１のコンタクト部を有する第１のコンタクト腕部と、前記第２のコンタクト部を有する第２のコンタクト腕部を有し、前記第１のコンタクト腕部と前記第２のコンタクト腕部とが前記本体部のうち離れている別々の箇所より延出した構成であること特徴とする。
【発明の効果】
【００１２】
　本発明によれば、第１のコンタクト腕部と第２のコンタクト腕部とが本体部のうち互いに離れている箇所より延出しているため、第２のコンタクト腕部は第１のコンタクト腕部の撓みの影響を受けず、よって、第１のコンタクト部と第２のコンタクト部とは良好な独立性を有し、どのような状況にあっても、第２のコンタクト部が設計された接触圧で被接続体のパッドに接触するように出来る。」
　・「【００１４】
　図１は本発明の実施例１になるカードエッジコネクタ装置１０を一部切截して且つ分解して、被接続体である回路基板６０と併せて示す斜視図である。Ｘ１−Ｘ２はカードエッジコネクタ装置１０の長手方向、Ｙ１−Ｙ２は幅方向、Ｚ１−Ｚ２は高さ方向である。図２はカードエッジコネクタ装置１０のＸ２側の端及びその近傍を拡大して示す斜視図である。図３は図２中、III-III線を含む垂直面で断面した拡大図である。
　　　・・・（略）・・・
【００２０】
　開口１５は、コンタクト部材３０を組み込むための部分であり、Ｙ−Ｚ面に沿う扁平な形状であり、ハウジング１１の中央側には、スロット１４と貫通するスリット１６を有し、且つ、ハウジング１１の外側寄りの部分には圧入用孔１７を有する。
【００２１】
　図２中の拡大した部分については、スリット１６等の形状を示すために一部のコンタクト腕を省略してある。図２中の拡大した部分に示すように、細長枠辺部１２のスロット１４に対向する面は、スリット１６が並んでおり、隣り合うスリット１５の間がＺ方向に細長の壁部１８となっており、且つ、各壁部１８に、スロット１８側に短い寸法ｕ突き出た突起部１９が形成してある。突起部１９の幅Ｗ１０は壁部１８の幅Ｗ１１よりも狭い。
【００２２】
　細長枠辺部１３も、細長枠辺部１２と同じ構造を有する。
[コンタクト部材３０の形状]
　図６及び図７は、コンタクト部材３０を示す。説明の便宜上、コンタクト部材３０がハウジング１１に組み込まれたときの姿勢を基準の姿勢として説明する。
【００２３】
　コンタクト部材３０は、厚さがＴである金属板部材を打ち抜いて曲げるプレス加工によって製造したものであり、本体部３３と、第１のコンタクト腕部３１と、第２のコンタクト腕部３２と、バルジ部３４と、実装用端子部３５とを有し、全体がＡｕメッキされている。本体部３３及びバルジ部３４の厚さは、元の材料である金属板部材の厚さＴに対応する。
【００２４】
　本体部３３は、共にＹ−Ｚ面の板状である第１の本体部３３ａ及び第２の本体部３３ｂを有する。第２の本体部３３ｂは、段部３３ｃによって第１の本体部３３ａに対してＸ１方向に寸法Ａずれている。この第２の本体部３３ｂは、Ｌ字形状を有し、垂直の腕部３３ｂＶと水平の腕部３３ｂＨとを有する。
【００２５】
　バルジ部３４は、第１の本体部３３ａよりＺ１方向に突き出ている。実装用端子部３５は、第１の本体部３３ａよりＹ２方向に突き出ている。
【００２６】
　第１のコンタクト腕部３１は、第２の本体部３３ｂの腕部３３ｂＶの先端の部位Ｐ１からＺ１方向に延出している。第２のコンタクト腕部３２は、第２の本体部３３ｂの腕部３３ｂＨの先端の部位Ｐ２からＺ１方向に延出している。即ち、第１のコンタクト腕部３１と第２のコンタクト腕部３２は、本体部３３のうち距離Ｂ離れている別々の箇所から延出している。
【００２７】
　第１、第２のコンタクト腕部３１，３２は、共に、第２の本体部３３ｂに対してＸ２方向に直角に折り曲げてあり、且つ、共に幅Ｗ１を有する。
【００２８】
　第１のコンタクト腕部３１は、部位Ｐ１からＺ１方向に延出している腕部分３１ｂと、腕部分３１ｂの頂上部にＸ２の側から見て時計方向に逆Ｕ字形状に曲げられた逆Ｕ字部分３１ｃとを有する。逆Ｕ字部分３１ｃのＺ１側からＺ２方向に向かう部分の先端部に第１のコンタクト部３１ａを有する。第１のコンタクト部３１ａの先端は、内側に、即ちＹ２側に曲げてある。
【００２９】
　第２のコンタクト腕部３２は、先端の近くの箇所に第２のコンタクト部３２ａを有する。第２のコンタクト部３２ａより先端側の部分は、第１のコンタクト腕部３１の逆Ｕ字部分３１ｃの内側に位置している。
【００３０】
　第１のコンタクト部３１ａと第２のコンタクト部３２ａとは高さを違えて配置してある。即ち、第２のコンタクト部３２ａは高さＨ２に位置しており、第１のコンタクト部３１ａは第２のコンタクト部３２ａよりも高い高さＨ１に、即ち、第２のコンタクト部３２ａよりも先端側に位置している。
【００３１】
　第１のコンタクト部３１ａと第２のコンタクト部３２ａとはＺ方向の線ＬＺ上に位置している。
【００３２】
　また、第１のコンタクト部３１ａ及び第２のコンタクト部３２ａには共に素材の金属板部材のロール加工されたロール面が表れており、第１、第２のコンタクト部３１ａ、３２ａのＡｕメッキは剥離し難い。
【００３３】
　また、第１のコンタクト腕部３１及び第２のコンタクト腕部３２は、第２のコンタクト部３２ａの接触圧Ｆ２が第１のコンタクト部３１ａの接触圧Ｆ１よりも高くなるように設計してある。例えば、第１のコンタクト部３１ａの接触圧Ｆ１は約０．３３Ｎ、第２のコンタクト部３２ａの接触圧Ｆ２は約０．４６Ｎである。
【００３４】
　＜コンタクト部材３０の厚さＴ１０について＞
　次に、コンタクト部材３０の厚さについて説明する。
【００３５】
　図７（Ｃ）に示すように、Ｙ１側からみると、第１のコンタクト腕部３１の中心線３１ＣＬと第２のコンタクト腕部３２の中心線３２ＣＬとが重なっている。図７（Ｄ）に示すように、バルジ部３４の厚さの中心線３４ＣＬが上記の中心線３２ＣＬと重なっている。即ち、第１のコンタクト部３１ａ、第２のコンタクト部３２ａ、及びバルジ部３４は、線ＬＺを含むＹ−Ｚ面Ｓ２上に位置している。図６において、Ｓ１は第１、第２のコンタクト部３１ａ、３２ａを含む面である。本体部３３は、線ＬＺを含み、且つ前記の面Ｓ１に対して直交する面Ｓ２上に位置する向きにある。この構造によって、コンタクト部材３０の厚さＴ１０は、素材である金属板部材の厚さＴの約３倍程度に薄く、約０．７５ｍｍである。これによって、コンタクト部材３０は、狭いピッチ、即ち、回路基板６０のパッド６２Ｙ１，６２Ｙ２のピッチｐ１０に対応した配置で整列させることが可能となる。
【００３６】
　＜第１のコンタクト部３１ａと第２のコンタクト部３２ａとの独立性について＞
　次に、第１のコンタクト部３１ａと第２のコンタクト部３２ａとの独立性について説明する。
【００３７】
　第１のコンタクト腕部３１は、第２の本体部３３ｂの腕部３３ｂＶの先端の部位Ｐ１からＺ１方向に延出している。第２のコンタクト腕部３２は、第２の本体部３３ｂの腕部３３ｂＨの先端の部位Ｐ２からＺ１方向に延出している。
【００３８】
　部位Ｐ１と部位Ｐ２との間の第２の本体部３３ｂに沿って測った距離はＢと長い。また、部位Ｐ１と部位Ｐ２とは、Ｙ方向には寸法Ｃ離れており、Ｚ方向には寸法Ｄ離れて、遠く離れている。
【００３９】
　第１のコンタクト腕部３１の根元部分の撓みの影響は、第２のコンタクト腕部３２には及ばず、逆に、第２のコンタクト腕部３２の根元部分の撓みの影響も、第１のコンタクト腕部３１には及ばない。
【００４０】
　また、図６において、第１のコンタクト部３１ａをＹ２方向に押すと、腕部分３１ｂが撓むと共に、逆Ｕ字部分３１ｃも撓む。よって、逆Ｕ字部分３１ｃが撓む分、第１のコンタクト腕部３１の根元部分の撓みは小さくなる。この構成も、第２のコンタクト腕部３２へ影響が及ばないように機能する。
【００４１】
　なお、逆Ｕ字部分３１ｃを形成して、この部分に第１のコンタクト部３１ａを設けた構成とすることによって、第１のコンタクト腕部３１の基部が第２の本体部３３ｂのうち第１の本体部３３ａに近い側にすることが可能となっている。
[コンタクト部材３０のハウジング１１内への組み込み]
　コンタクト部材３０は、ハウジング１１の底面側から開口１５内に挿入して組み込んである。
【００４２】
　各コンタクト部材３０は、図３に示すように、バルジ部３４を圧入用孔１７に圧入されて固定してある。図３及び図２に示すように、第１のコンタクト腕部３１の逆Ｕ字部分３１ｃ及び第２のコンタクト腕部３２はＺ２側からスリット１６内に嵌合し、第１のコンタクト部３１ａ、第２のコンタクト部３２ａはスリット１６よりスロット１４内に突き出ている。
【００４３】
　Ｙ１側のコンタクト部材３０Ｙ１とＹ２側のコンタクト部材３０Ｙ２とは、図８に示すように対向している。第１のコンタクト部３１ａ同士及び第２のコンタクト部３２ａ同士が対向している。また、コンタクト部材３０Ｙ１及びＹ２側のコンタクト部材３０Ｙ２の各本体部３３は、Ｙ−Ｚ面上に位置し、スロット１４の長手方向に対して、即ち、スロット１４の壁面１４ｂＹ１，１４ｂＹ２（壁部１８の面）に対して直交している。
【００４４】
　なお、第１のコンタクト腕部３１は上端側に逆Ｕ字部分３１ｃを有し、第２のコンタクト腕部３２の先端は逆Ｕ字部分３１ｃの内側に位置して逆Ｕ字部分３１ｃによって囲われており、コンタクト部材３０のＺ１側は丸み形状であり引っかからない形状となっており、コンタクト部材３０のハウジング１１の底面側から開口１５内への挿入は円滑になされる。
[回路基板６０のカードエッジコネクタ装置１０への接続]
　カードエッジコネクタ装置１０は、図３に示すように、実装用端子部３５をマザーボード５０上のパッドに半田付けされてマザーボード５０上に実装してある。
【００４５】
　回路基板６０のカードエッジ部６１は、図４に示す状態を経て、図５に示すようにカードエッジコネクタ装置１０に挿入されて接続される。
【００４６】
　回路基板６０は、図４に示すように、端部をガイド部１３ａに案内されて、カードエッジ部６１が入口１４ａよりスロット１４内に挿入される。
【００４７】
　両側のパッド６２Ｙ１，６２Ｙ２は、最初に、両側の第１のコンタクト部３１ａに当たって、第１のコンタクト腕部３１を外側に弾性的に撓ませ、第１のコンタクト部３１ａはパッド６２Ｙ１，６２Ｙ２上を相対的に擦ってパッド６２Ｙ１，６２Ｙ２上の汚れを退けてクリーニングする。
【００４８】
　ここで、部位Ｐ１と部位Ｐ２とは離れているため、第１のコンタクト腕部３１の撓みの影響は第２のコンタクト腕部３２には及ばず、第２のコンタクト腕部３２は少しも撓まず、第２のコンタクト部３２ａの位置は変化しない。
【００４９】
　回路基板６０は、更に挿入され、ストッパ部１３ｂに突き当たる位置まで挿入される。
【００５０】
　この過程で、両側のパッド６２Ｙ１，６２Ｙ２は、両側の第２のコンタクト部３２ａに当たって、第２のコンタクト腕部３２を外側に弾性的に撓ませる。
【００５１】
　第２のコンタクト部３２ａは、パッド６２Ｙ１，６２Ｙ２のうち第１のコンタクト部３１ａによってクリーニングされた部分に接触する。しかも、第２のコンタクト部３２ａは、接触圧Ｆ２で接触する。」
　・「【００５９】
　図１１は本発明の実施例２になるカードエッジコネクタ装置のコンタクト部材３０ＡＹ１，３０ＡＹ２を対向させて示す。
【００６０】
　このコンタクト部材３０Ａは、打ち抜いただけの形状であり、本体部３３Ａと、第１のコンタクト腕部３１Ａと、第２のコンタクト腕部３２Ａと、バルジ部３４Ａと、実装用端子部３５Ａとを有し、全体がＡｕメッキされている。第１のコンタクト部３１Ａａと第２のコンタクト部３２Ａａとは共に破断面である。このコンタクト部材３０Ａは、一回の打ち抜き加工だけで、安価に製造できる。
【００６１】
　バルジ部３４Ａは、第１の本体部３３ＡａよりＺ１方向に突き出ている。第１のコンタクト腕部３１Ａは第２の本体部３３ｂの部位ＰＡ１からＺ１方向に延出しており、第２のコンタクト腕部３２Ａは、第２の本体部３３ｂの部位ＰＡ２からＺ１方向に延出している。部位ＰＡ１と部位ＰＡ２とは遠く離れており、第１のコンタクト腕部３１Ａの撓みは第２のコンタクト腕部３２Ａには影響を及ぼさず、第１のコンタクト腕部３１Ａと第２のコンタクト腕部３２Ａとは独立している。
【００６２】
　第１のコンタクト部３１Ａａと第２のコンタクト部３２Ａａとは、Ｚ方向の線ＬＺ上に位置している。Ｓ１は第１、第２のコンタクト部３１Ａａ、３２Ａａを含む面である。本体部３３Ａは、線ＬＺを含み前記の面Ｓ１に対して直交する面Ｓ２上に位置する。
【００６３】
　上記のコンタクト部材３０ＡＹ１，３０ＡＹ２がハウジングに整列して組み込まれると、カードエッジコネクタ装置となる。」
　・図４の図示内容を参酌すると、図１１の図示内容から、「第２のコンタクト部」は「第１のコンタクト部」の次にパッドと接触するといえる。
　・図１ないし３の図示内容を参酌すると、図１１の図示内容から、「カードエッジコネクタ装置」は、金属板部材を打ち抜いた形状の「第１のコンタクト腕部」と「第２のコンタクト腕部」の板面が平行となるように整列してハウジングに組み込んであるといえる。
　・図１１の図示内容から、「第１のコンタクト腕部」は、第１のコンタクト腕部の「第１のコンタクト部」と鋭角をなすように形成された「箇所」を有するといえ、その「箇所」と「腕部分」とによって隙間として形成される「隙間部」を有するといえる。
　・明細書の段落【００２９】の「第２のコンタクト部３２ａより先端側の部分は、第１のコンタクト腕部３１の逆Ｕ字部分３１ｃの内側に位置している」との記載を参酌すると、図１１の図示内容から、「第２のコンタクト腕部」の先端の近くの箇所は、「隙間部」の内側に位置する「先端側の部分」を有するといえる。
　したがって、上記引用文献には、実施例２に係る具体例に注目し、本願発明１及び本願発明４に倣って整理すると、次の発明（以下、順に「引用発明１」及び「引用発明２」という。）が記載されていると認められる。
（引用発明１）
「パッドと接触圧をもって接触して押し退けられる第１のコンタクト部が形成された先端の近くの箇所と、先端の近くの箇所を押し退けられるようにする弾性的に撓める腕部分とを有する金属板部材を打ち抜いた形状の第１のコンタクト腕部と、第１のコンタクト腕部の次にパッドと接触圧をもって接触する第２のコンタクト部が形成された先端の近くの箇所を有する金属板部材を打ち抜いた形状の第２のコンタクト腕部とを有する多数のコンタクト部材を、第１のコンタクト腕部と第２のコンタクト腕部の板面が平行となるように整列してハウジングに組み込んであるカードエッジコネクタ装置において、
第１のコンタクト腕部は、第１のコンタクト腕部の第１のコンタクト部と鋭角をなすように形成された箇所と、前記箇所と弾性的に撓める腕部分とによって電気的に接続する金属板部材を打ち抜いた形状の隙間として形成される隙間部とを有しており、
第２のコンタクト腕部の先端の近くの箇所は、前記隙間部の内側に位置する先端側の部分を有しており、
第１のコンタクト腕部の先端の近くの箇所と第２のコンタクト腕部の先端の近くの箇所は、パッドと接触圧をもって接触することで押し退けられるカードエッジコネクタ装置。」
（引用発明２）
「パッドと接触圧をもって接触して押し退けられる第１のコンタクト部が形成された先端の近くの箇所と、先端の近くの箇所を押し退けられるようにする弾性的に撓める腕部分とを有する金属板部材を打ち抜いた形状の第１のコンタクト腕部と、第１のコンタクト腕部の次にパッドと接触圧をもって接触する第２のコンタクト部が形成された先端の近くの箇所を有する金属板部材を打ち抜いた形状の第２のコンタクト腕部とを有する多数のコンタクト部材を、第１のコンタクト腕部と第２のコンタクト腕部の板面が平行となるように整列してハウジングに組み込んであるカードエッジコネクタ装置において、
第１のコンタクト腕部は、弾性的に撓める腕部分と先端の近くの箇所との間に電気的に接続する金属板部材を打ち抜いた形状の隙間として形成されており第２のコンタクト腕部の先端の近くの箇所の先端側の部分が内側に位置する隙間部を有しており、
第１のコンタクト腕部の先端の近くの箇所と第２のコンタクト腕部の先端の近くの箇所は、パッドと接触圧をもって接触することで押し退けられるカードエッジコネクタ装置。」
第５　対比・判断
１．本願発明１について
（１）対比
　本願発明１と引用発明１とを対比すると、次のことがいえる。
　その機能・構造等からして、引用発明１の「パッド」は本願発明１の「接続対象物」に相当し、同様に、「接触圧をもって接触」は「押圧接触」に、「押し退けられる」は「変位する」に、「第１のコンタクト部」及び「第２のコンタクト部」はそれぞれ「接触縁」に、「先端の近くの箇所」は「接触部」に、「押し退けられるようにする弾性的に撓める腕部分」及び「弾性的に撓める腕部分」はそれぞれ「変位可能に支持する弾性腕」及び「弾性腕」に、「金属板部材を打ち抜いた形状」は「平板形状」に、「第１のコンタクト腕部」は「フロント端子」に、「第２のコンタクト腕部」は「リア端子」に、「多数」は「複数」に、「コンタクト部材」は「コネクタ端子」に、「板面が平行となるように整列してハウジングに組み込んである」は「板面が平行となるようにハウジングに備える」に、「カードエッジコネクタ装置」は「コネクタ」に、「鋭角をなすように形成された箇所」は「鋭角をなすように形成された後縁」に、「電気的に接続する金属板部材を打ち抜いた形状」は「導電性金属平板の打抜き形状」に、「先端側の部分」は「先端部」に、それぞれ相当する。
　そして、本願発明１の「収容部」と引用発明１の「隙間部」とは「空間部」の概念で一致している。
　したがって、本願発明１と引用発明１との間には、次の一致点、相違点があるといえる。
（一致点）
「接続対象物と押圧接触して変位する接触縁が形成された接触部と、接触部を変位可能に支持する弾性腕とを有する平板形状のフロント端子と、フロント端子の次に接続対象物と押圧接触する接触縁が形成された接触部を有する平板形状のリア端子とを有する複数のコネクタ端子を、フロント端子とリア端子の板面が平行となるようにハウジングに備えるコネクタにおいて、
フロント端子は、フロント端子の接触縁と鋭角をなすように形成された後縁と、前記後縁と弾性腕とによって導電性金属平板の打抜き形状の隙間として形成される空間部とを有しており、
リア端子の接触部は、先端部を有しており、
フロント端子の接触部とリア端子の接触部は、接続対象物と押圧接触することで変位するコネクタ。」
（相違点）
（相違点１）　「リア端子の接触部」が有する「先端部」に関し、本願発明１は、フロント端子の「空間部」が「収容部」であって「収容部の内部に突出してフロント端子の接触部の前記後縁の下端よりも高く位置する」のに対し、引用発明では、第１のコンタクト腕部（フロント端子に相当）の「空間部」が「隙間部」であって、「隙間部の内側に位置する」点。
（相違点２）　「フロント端子の接触部とリア端子の接触部は、接続対象物と押圧接触することで変位する」点に関し、本願発明１は、「互いに非接触のまま」であるのに対し、引用発明では、「互いに非接触のまま」か不明である点。
（２）相違点についての判断
　上記相違点１について検討すると、引用文献の明細書の段落【００４４】に、実施例１に関し「第１のコンタクト腕部３１は上端側に逆Ｕ字部分３１ｃを有し、第２のコンタクト腕部３２の先端は逆Ｕ字部分３１ｃの内側に位置して逆Ｕ字部分３１ｃによって囲われており、コンタクト部材３０のＺ１側は丸み形状であり引っかからない形状となっており、コンタクト部材３０のハウジング１１の底面側から開口１５内への挿入は円滑になされる。」と記載され、特に「第２のコンタクト腕部３２の先端は逆Ｕ字部分３１ｃの内側に位置して逆Ｕ字部分３１ｃによって囲われて」いることが記載されているとしても、同じく段落【００２８】、【００２９】に実施例１に関し「第１のコンタクト腕部３１は、部位Ｐ１からＺ１方向に延出している腕部分３１ｂと、腕部分３１ｂの頂上部にＸ２の側から見て時計方向に逆Ｕ字形状に曲げられた逆Ｕ字部分３１ｃとを有する。逆Ｕ字部分３１ｃのＺ１側からＺ２方向に向かう部分の先端部に第１のコンタクト部３１ａを有する。第１のコンタクト部３１ａの先端は、内側に、即ちＹ２側に曲げてある。第２のコンタクト腕部３２は、先端の近くの箇所に第２のコンタクト部３２ａを有する。第２のコンタクト部３２ａより先端側の部分は、第１のコンタクト腕部３１の逆Ｕ字部分３１ｃの内側に位置している。」と記載されていることからすると、引用発明１の「隙間部の内側に位置する」ことからは、隙間部に「囲われて」いることで、「開口１５内への挿入は円滑になされる」ように、コンタクト部材のハウジングの底面側から開口内への挿入に際し、「第２のコンタクト腕部」は「開口」に干渉しないといったこと、すなわち、挿入方向から見て「逆Ｕ字部分３１ｃ」からはみ出ない（Ｙ１方向に突出しない）といったことがいえるとしても、本願発明１の「リア端子の接触部」が有する「先端部」が「収容部の内部に突出してフロント端子の接触部の前記後縁の下端よりも高く位置する」ような構成を示唆するとはいえない。
　また、上記相違点２について検討すると、引用文献の明細書の段落【００１２】に「第１のコンタクト部と第２のコンタクト部とは良好な独立性を有し、どのような状況にあっても、第２のコンタクト部が設計された接触圧で被接続体のパッドに接触するように出来る。」と記載され、同じく段落【００６１】に実施例２に関し「部位ＰＡ１と部位ＰＡ２とは遠く離れており、第１のコンタクト腕部３１Ａの撓みは第２のコンタクト腕部３２Ａには影響を及ぼさず、第１のコンタクト腕部３１Ａと第２のコンタクト腕部３２Ａとは独立している。」と記載されているとしても、同じく段落【０００７】、【０００８】に【発明が解決しようとする課題】として「しかし、特開平１１−２３３１８３号公報に記載のカードエッジコネクタ装置は、第１のコンタクト部が変位するとこれに追従して第２のコンタクト部も変位してしまい、第１のコンタクト部と第２のコンタクト部との間で独立性に欠け、特に第２のコンタクト部のパッドとの接触圧が第１のコンタクト部の変位等の影響を受けて予定の値よりも低くなってしまい、電気的接続の信頼性を低下させてしまう。特開２００２−１２６７９１号公報に記載のカードエッジコネクタ装置では、第１のコンタクト部と第２のコンタクト部との間の独立性は、特開平１１−２３３１８３号公報に記載の構成に比べると良い。しかし、左側のリード部の根元の部分と右側のリード部の根元の部分とはその間にスリットが存在するだけであり極く接近しているため、場合によっては、左側のリード部の根元の反りが右側のリード部の根元の部分に伝わることも起こり、第１のコンタクト部と第２のコンタクト部との間の独立性は十分ではなく、第２のコンタクト部のパッドとの接触圧が予定の値よりも低くなってしまうおそれがあった。」と記載され、特に上記段落【００１２】には「本発明によれば、第１のコンタクト腕部と第２のコンタクト腕部とが本体部のうち互いに離れている箇所より延出しているため、第２のコンタクト腕部は第１のコンタクト腕部の撓みの影響を受けず、よって、第１のコンタクト部と第２のコンタクト部とは良好な独立性を有し、どのような状況にあっても、第２のコンタクト部が設計された接触圧で被接続体のパッドに接触するように出来る。」と記載されていること、また、同じく段落【００３９】に実施例１に関して「第１のコンタクト腕部３１の根元部分の撓みの影響は、第２のコンタクト腕部３２には及ばず、逆に、第２のコンタクト腕部３２の根元部分の撓みの影響も、第１のコンタクト腕部３１には及ばない。」と記載され、同じく段落【００４８】に実施例１に関して「ここで、部位Ｐ１と部位Ｐ２とは離れているため、第１のコンタクト腕部３１の撓みの影響は第２のコンタクト腕部３２には及ばず、第２のコンタクト腕部３２は少しも撓まず、第２のコンタクト部３２ａの位置は変化しない。」と記載されていることからすると、さらに、上記段落【００６１】に「第１のコンタクト腕部３１Ａは第２の本体部３３ｂの部位ＰＡ１からＺ１方向に延出しており、第２のコンタクト腕部３２Ａは、第２の本体部３３ｂの部位ＰＡ２からＺ１方向に延出している。部位ＰＡ１と部位ＰＡ２とは遠く離れており、第１のコンタクト腕部３１Ａの撓みは第２のコンタクト腕部３２Ａには影響を及ぼさず、第１のコンタクト腕部３１Ａと第２のコンタクト腕部３２Ａとは独立している。」と記載されていることを合わせると、上記段落【００１２】における「第１のコンタクト部と第２のコンタクト部とは良好な独立性を有し、どのような状況にあっても、第２のコンタクト部が設計された接触圧で被接続体のパッドに接触するように出来る」こと、及び、上記段落【００６１】における「第１のコンタクト腕部３１Ａと第２のコンタクト腕部３２Ａとは独立している」ことから、第１のコンタクト腕部３１Ａと第２のコンタクト腕部３２Ａとはその「撓み」が互いに影響を及ぼさず、それぞれの接触圧に影響しないということがいえるとしても、本願発明１の「フロント端子の接触部とリア端子の接触部は、接続対象物と押圧接触することで変位する」際に「互いに非接触のまま」であるような構成を示唆するとはいえない。
　さらに、引用発明１をして、上記相違点１及び２に係る本願発明１の構成とすることの動機づけは見当たらず、また、その構成が本願出願前に公知であるとする証拠もない。なお、上記相違点１に係る本願発明１の構成が、それ単独でみるならば公知であることは、本願の明細書の段落【０００３】〜【０００５】に記載されているが、それは、「フロント端子の接触部が変位する際に、リア端子の接触部の先端を引っ掛けて同じ方向に変位させる」ものであるから、上記相違点２に係る本願発明１の構成とすることを阻害するといえる。
　そして、本願発明１が奏する作用効果について検討すると、本願発明１は、上記相違点１及び２に係る構成を備えることで、本願明細書の段落【０００７】及び【０００８】に記載されているように、「本発明では、前記フロント端子に弾性腕と接触部との間にリア端子の接触部の先端側が入り込む収容部を設ける。こうすることで、リア端子における接触部の先端位置を前記隙間の範囲に限定することができる。よってリア端子の接触部の先端はフロント端子よりも接続対象物の側に突出しないため、接続対象物が嵌合時に突き当たり、リア端子が折れ曲がったり座屈したりするといった不具合が生じない。また、本発明では、フロント端子の接触部とリア端子の接触部を、接続対象物と押圧接触することで互いに非接触のまま変位する。これにより、リア端子は接圧を維持したまま変位することができる。よって、リア端子は接続対象物に確実に接触することができる」といえるものである。
　そうすると、引用発明１をして上記相違点１及び２に係る本願発明１の構成を有するものとすることは、単なる設計事項であるということもできない。
　したがって、本願発明１は、引用発明及び引用文献に記載された技術的事項に基いて、当業者が容易に発明をすることができたものとはいえない。
２．本願発明２ないし３について
　本願発明２ないし３は、本願発明１を減縮した発明であるから、本願発明１と同様の理由により、引用発明及び引用文献に記載された技術的事項に基いて、当業者が容易に発明をすることができたものとはいえない。
３．本願発明４について
（１）対比
　本願発明４と引用発明２とを対比すると、次のことがいえる。
　その機能・構造等からして、引用発明２の「パッド」は本願発明４の「接続対象物」に相当し、同様に、「接触圧をもって接触」は「押圧接触」に、「押し退けられる」は「変位する」に、「第１のコンタクト部」及び「第２のコンタクト部」はそれぞれ「接触縁」に、「先端の近くの箇所」は「接触部」に、「押し退けられるようにする弾性的に撓める腕部分」及び「弾性的に撓める腕部分」はそれぞれ「変位可能に支持する弾性腕」及び「弾性腕」に、「金属板部材を打ち抜いた形状」は「平板形状」に、「第１のコンタクト腕部」は「フロント端子」に、「第２のコンタクト腕部」は「リア端子」に、「多数」は「複数」に、「コンタクト部材」は「コネクタ端子」に、「板面が平行となるように整列してハウジングに組み込んである」は「板面が平行となるようにハウジングに備える」に、「カードエッジコネクタ装置」は「コネクタ」に、「電気的に接続する金属板部材を打ち抜いた形状」は「導電性金属平板の打抜き形状」に、「先端側の部分」は「先端側」に、それぞれ相当する。
　そして、本願発明４の「（先端側が）入り込む収容部」と引用発明２の「（先端側の部分が）内側に位置する隙間部」とは「（先端側が）所定の位置関係となる空間部」の概念で一致している。
　したがって、本願発明４と引用発明２との間には、次の一致点、相違点があるといえる。
（一致点）
「接続対象物と押圧接触して変位する接触縁が形成された接触部と、接触部を変位可能に支持する弾性腕とを有する平板形状のフロント端子と、フロント端子の次に接続対象物と押圧接触する接触縁が形成された接触部を有する平板形状のリア端子とを有する複数のコネクタ端子を、フロント端子とリア端子の板面が平行となるようにハウジングに備えるコネクタにおいて、
フロント端子は、弾性腕と接触部との間に導電性金属平板の打抜き形状の隙間として形成されておりリア端子の接触部の先端側が所定の位置関係となる空間部を有しており、
フロント端子の接触部とリア端子の接触部は、接続対象物と押圧接触することで変位するコネクタ。」
（相違点）
（相違点Ａ）　「フロント端子」が有し、「リア端子の接触部の先端側」と「所定の位置関係となる空間部」に関し、本願発明４は、「接触部の先端側が入り込む収容部」であるのに対し、引用発明２では、「先端の近くの箇所の先端側の部分が内側に位置する隙間部」である点。
（相違点Ｂ）　本願発明４は、「接続対象物との接触時にフロント端子の接触部が変位する距離（Ｌ２）が、接続対象物との非接触時におけるフロント端子の接触部とリア端子の接触部との間の距離（Ｌ１）よりも短く、前記接触時におけるフロント端子の弾性腕と前記非接触時におけるリア端子の接触部との間の距離（Ｌ３）が、前記接触時にリア端子の接触部が変位する距離（Ｌ４）よりも長く」と特定されているのに対し、引用発明２では、特段特定されていない点。
（相違点Ｃ）　「フロント端子の接触部とリア端子の接触部は、接続対象物と押圧接触することで変位する」点に関し、本願発明４は、「互いに非接触のまま」であるのに対し、引用発明２では、「互いに非接触のまま」か不明である点。
（２）相違点についての判断
　事案に鑑み、上記相違点Ｃについて検討すると、既に検討した相違点２と同様である。また、上記相違点Ａについて検討すると、相違点１について既に検討したことからすれば、引用発明２の「内側に位置する」ことに関し、引用文献の明細書の段落【００４４】の記載からは、「第２のコンタクト部３２ａより先端側の部分」は、挿入方向から見て「逆Ｕ字部分３１ｃ」からはみ出ない（Ｙ１方向に突出しない）といったことがいえるとしても、本願発明４の「収容部」に「リア端子」の「接触部の先端側が入り込む」ことを示唆するものとはいえない。そうすると、引用発明２をして上記相違点Ａ及びＣに係る本願発明４の構成とすることは、当業者といえども、容易に想到することができたということはできない。
　したがって、既に本願発明１に関して検討したことを考慮すると、上記相違点Ｂについて検討するまでもなく、本願発明４は、引用発明２及び引用文献に記載された技術的事項に基いて、当業者が容易に発明をすることができたものとはいえない。
第６　むすび
　以上のとおり、本願発明１ないし４は、引用発明及び引用文献に記載された技術的事項に基いて、当業者が容易に発明をすることができたものではない。したがって、原査定の理由によっては、本願を拒絶することはできない。
　また、他に本願を拒絶すべき理由を発見しない。
　よって、結論のとおり審決する。